(57)【特許請求の範囲】
【請求項１】
静電画像を調色するために、混合物中で用いられる異なる色のトナー粒子の比率を決定する方法において、
観察のための所望の色を決定し、
前記所望の色を観察するための照明を決定し、
前記照明下で前記所望の色が知覚される結果となるような印刷用の目標色を決定し、
前記目標色に応じて選択された、２つの利用可能な候補色付きトナー粒子と必要に応じて追加された黒と透明色のトナー粒子の双方あるいは一方とからなるセットを互いに異なる候補として複数セット決定し、
所定の適合性判断基準にしたがって、前記目標色に最良に適合する前記複数セット中の１セットの候補色付きトナー粒子のトナー粒子混合物を計算し、
前記最良セットの色付きトナー粒子を混合して、印刷用のトナーを形成することを含む、ことを特徴とする方法。
【請求項２】
前記目標色が印刷される支持体の色を決定し、印刷用の目標色を決定することは、前記支持体上で印刷されたときに前記照明下で前記所望の色が知覚される結果となる印刷用の目標色を決定することである、ことを特徴とする請求項１記載の方法。
【請求項３】
支持体の色を決定することが、複数の支持体タイプから支持体タイプを選択することを含むことを特徴とする請求項２記載の方法。
【請求項４】
照明を決定することが、複数の照明タイプから照明を選択することを含むことを特徴とする請求項１ないし請求項３のいずれか１項記載の方法。
【請求項５】
前記２つの候補色付きトナー粒子を決定することが、双方ともが黒と透明色とは異なった２つのタイプの粒子を選択することを含むことを特徴とする請求項１ないし請求項４のいずれか１項記載の方法。
【請求項６】
前記２つの候補色付きトナー粒子を決定することが、複数の利用可能な色付きトナー粒子から前記粒子を選択することを含むことを特徴とする請求項５記載の方法。
【請求項７】
前記２つの候補色付きトナー粒子を決定することが、前記複数の利用可能な色付きトナー粒子中の色付きトナー粒子の対を選択することを含み、前記対は前記目標色に係る近接色であることを特徴とする請求項６記載の方法。
【請求項８】
前記２つの候補色付きトナー粒子を決定することが、前記粒子の複数の対を選択することを含むことを特徴とする請求項６記載の方法。
【請求項９】
前記２つの候補色付きトナー粒子を決定することが、利用可能な色付き粒子の全ての対を選択することを含むことを特徴とする請求項８記載の方法。
【請求項１０】
前記目標色に最良に適合する色対を有する各セットに対して最良な適合比率混合物を決定し、
前記目標色に最良に適合する色対と比率を選択することを含むことを特徴とする請求項８または請求項９記載の方法。
【請求項１１】
２つ以上の色対が同じ最良な適合を有する場合、前記目標色に係る近接色を有する対が選択されることを特徴とする請求項１０記載の方法。
【請求項１２】
トナー粒子混合物を計算することが、前記目標色が観察される条件下で、前記目標色を前記色付きトナー混合物の計算されて印刷された色と比較することを含むことを特徴とする請求項１ないし請求項１１のいずれか１項記載の方法。
【請求項１３】
前記画像の現像中での前記静電画像に対する前記トナー粒子の相対的移動比率に応答して、混合されるトナー粒子混合物を補正することを含むことを特徴とする請求項１ないし請求項１２のいずれか１項記載の方法。
【請求項１４】
黒と透明色のトナー粒子を前記色付きトナー粒子と混合して、前記目標色と前記混合物で印刷された色との間により良好な適合を形成することを含むことを特徴とする請求項１ないし請求項１３のいずれか１項記載の方法。
【請求項１５】
前記トナー粒子が、担持液体中でのトナー粒子の分離した液体トナー分散物中に提供され、前記トナー粒子を混合することが、前記液体トナー分散物を混合することを含むことを特徴とする請求項１４記載の方法。
【請求項１６】
画像の処理中に現像済み画像から除去される異なるタイプのトナー粒子の比率に応答して、混合されるトナー粒子の混合物を補正することを含むことを特徴とする請求項１５記載の方法。
【請求項１７】
静電印刷装置を提供することと、
請求項１から１６の内のいずれかにしたがって調合されたトナーを利用して前記装置で画像を印刷することを含むことを特徴とする方法。
【請求項１８】
前記目標色に対するより良好な適合を提供するために前記印刷済み画像の濃さを調整することを含むことを特徴とする請求項１７記載の方法。
【発明の詳細な説明】
【０００１】
【発明の属する技術分野】
本発明は印刷の分野に関し、より詳しくは、非標準色を持つトナーの提供に関する。
【０００２】
【従来の技術】
大抵の印刷システムは、限られた数の異なった標準色付きインクだけで実際に印刷することに基づいている。一般に、これらのインクは、広い見かけ上の範囲の色が、いわゆる「ハーフトーン」プロセスによって達成されるように選択される。ハーフトーン印刷においては、色は、さまざまな標準色で印刷された部分的な領域をオーバーレイすることによって達成される。標準色で印刷される個別の領域のパーセンテージは、観察者の目に対して、所望の色が達成されるように選ばれる。一般に、シアン、マジェンタおよび黄色、さらにオプションとして黒も標準色であるが、一部のシステムでは、緑、オレンジおよび紫からの１つ以上を含むさらなる色を追加している。
【０００３】
色付きインクを混合して、類似の効果が達成されることは周知である。これは時として、所定の色で大きい領域を印刷する場合には望ましいが、その理由は、単一のインクで印刷する場合の品質は一般的に、ハーフトーンによる場合より良好であるからである。カスタムインクは、（１）色を達成するに必要な標準インクの比率を決定すること、（２）この色の比率で印刷される領域におけるインクの濃さを決定すること、（３）この濃さと所望の濃さを比較すること、（４）この比率の標準色と透明なインクを混合するおよび／または印刷を調整して所望の色を、好ましくは所望の濃さを持つように達成することによって標準インクから混合され得る。
【０００４】
標準的なシステムが開発されてきており、このシステムでは、標準色を混合することによって広い範囲にわたる色を達成することができる。これらのシステムの一部のものは、カラーチャートに基づいている。他のシステムは、所望の色を達成するために混合すべき異なる標準色付きインク（黒と透明色を含む）のパーセンテージを定めるコンピュータプログラムに基づいている。
【０００５】
また、たった２つの色と黒を用いて、ハーフトーン印刷プロセスで所望に近い色を達成できることも知られている。一部のシステムでは、５つまたは６つの色（プラス黒）が提供される。所望の色は、Ｌ＊Ｈ＊Ｃ＊スペース中にセグメントを形成するたった２つの最も近い標準色と黒を用いてハーフトーン処理によって提供される。この２色プロセスは、例えば、その開示を参照してここに組み込む、１９９８年３月２日に提出され、「拡大された色スペース」という題名の同時係属ＰＣＴ特許出願第ＰＣＴ／ＩＬ９８／００１０１号に記載されている。一般に、このような印刷をすると、その結果、特定の照明状況でしか所望の色と適合せず、また、他の照明下ではそれから幾分逸脱する色となってしまう。
【０００６】
トナーを用いて印刷する場合、色を混合するのは一般的に非実際的である。特に、さまざまな色のトナー粒子を一緒に混合して印刷に用いると、異なる色の消耗速度が異なる。それはおそらく、少なくとも粒子の移動度が幾分異なっているためであろう。したがって、使用しているうちに混合物の異なる成分の消耗率が不均一になるので、トナーの色（したがって印刷表面）も変化する。
【０００７】
【発明が解決しようとする課題】
本発明のいくつかの好ましい実施形態の１つの観点は、異なる色のトナーを混合して、混合物の成分の不均一な消耗にもかかわらず目標の色を安定的に印刷する混合物を実現することに関連している。
【０００８】
【課題を解決するための手段】
本発明の好ましい実施形態におけるこの観点によれば、トナー粒子の２つだけの色、および黒と透明色を用いて混合物を形成する。その２つの色は目標の色に近接する色であるのが最も好ましい。そのような混合物で印刷した時に得られる色の方がより多くの色成分または非近接色を用いて印刷したときよりも安定的な色を実現できることがわかった。より良好な色忠実度を達成するために混合物内により多くの色を用いることがより望ましいが、少なくとも所定の照明条件下での許容可能な忠実度は２つの色だけを用いて達成することが可能である。
【０００９】
本発明の好ましい実施形態のこの観点によれば、実際の目標色の色スペクトルと所望の観察照明の色スペクトルを組み合わせた色に対して色の適合が行われる。本発明の好ましい実施形態では、オペレータによって複数の異なる照明の中から所望の照明が選択されて、その所望の照明下で観察される目標の色のスペクトルが計算される。このスペクトルは、ここで「照明調整色」と呼ばれるものを定める。標準色から２つの色が選択される。
【００１０】
これらの２つの色は、目標の照明調整色を含む最小サイズのセグメントをＨＣスペース内に形成する色であるのが好ましい。そのような色をここでは「近接色」と呼ぶ。２つの色と黒の比率、およびその照明調整色に対する最良の一致を実現するために必要な印刷色の濃さが計算される。この濃さが、インクを用いるプリンタによって達成される標準の濃さまたは濃さ範囲より薄くなる程度まで透明インクの比率を計算することによって、（必要な濃さを持つ）印刷された色は所望の色相と飽和度を持つ。
【００１１】
本発明のこの観点はさらに３つ以上のトナー色を用いた混合にも適合すると考えられることに注意すべきである。
【００１２】
本発明の好ましい実施形態では、色の混合を決定する際に別の要因も考慮に入れる。これらには、色が印刷される紙または他の支持体の色、混合物内のトナー比率と現像した画像におけるトナー比率との差、および現像済み画像の調量後の現像済み紙上に残存するトナーの比率の差が含まれる。
【００１３】
従って本発明の好ましい実施形態により、静電画像を調色するために混合物中で用いられる異なる色のトナー粒子の比率を決定する方法が提供され、その方法は、
適合させるための目標色を決定し、
候補色付きトナー粒子の少なくとも１セットを決定し、
目標色に最良に適合する、少なくとも１セットの候補色付きトナー粒子のトナー粒子混合物を計算し、
色付きトナー粒子を混合して印刷用トナーを形成することを含む。
【００１４】
本発明の好ましい実施形態では、目標色を決定することが、
目標色を決定し、
色が観察される照明を決定し、
照明下で目標色の見かけ上の色として適合する目標色を決定することを含む。
【００１５】
代わりに、目標色を決定することが、
目標色を決定し、
色が観察される照明を決定し、
目標色が印刷される支持体の色を決定し、
照明下で支持体上に印刷される、目標色の見かけ上の色として適合する目標色を決定することを含む。
【００１６】
支持体の色を決定することは、複数の支持体のタイプからの支持体タイプを選択することが含まれることが好ましい。
【００１７】
本発明の好ましい実施形態では、照明を決定することは複数の照明タイプからの照明を選択することを含む。
【００１８】
本発明の好ましい実施形態では、少なくとも１セットの候補色付き粒子を決定することは、双方共が黒と透明色とは違った２つのタイプの粒子を選択することを含む。少なくとも１セットの候補色付き粒子を決定することは、複数の利用可能な色トナー粒子から粒子を選択することを含んでいることが好ましい。少なくとも１セットの候補色付き粒子を決定することは、複数の利用可能な色トナー粒子中の色付きトナー粒子の対を選択することが含まれ、その対は目標色にもっとも近い色を含んでいる。
【００１９】
本発明の好ましい代替実施形態では、少なくとも１セットの候補色付き粒子を決定することは、その粒子の複数の対を選択することが含まれる。本発明の好ましい実施形態では、少なくとも１セットの候補色付き粒子を決定することは、利用可能な色粒子の全ての対を選択することが含まれる。
【００２０】
本発明の好ましい実施形態では、この方法は、
目標色に最良に適合する色対の各セットに対して最良適合比率混合物を決定し、
目標色に最良に適合する色対と比率を選択することを含む。
【００２１】
２つ以上の色の対が同じ最良適合をする場合、最も近い色を持つ対が選択されることが好ましい。
【００２２】
本発明の好ましい実施形態では、トナー粒子の混合物を計算することは、色が観察される条件下で、目標色を色トナー混合物の計算された印刷色と比較することを含む。
【００２３】
この方法が、画像の現像中での静電画像に対するトナー粒子の相対的移動比率に応答して、混合されるトナー粒子の混合物を補正することを含むことが好ましい。
【００２４】
本発明の好ましい実施形態では、この方法は、黒と透明のトナー粒子を色付きトナー粒子と混合して、目標色と混合物で印刷された色との間でより良好な色の適合を形成することを含む。
【００２５】
本発明の好ましい実施形態では、担持液体中でのトナー粒子の分離した液体トナー分散物中に提供され、トナー粒子を混合することが液体トナー分散物を混合することを含む。
【００２６】
本発明の好ましい実施形態では、この方法は、画像の処理中に現像済み画像から除去される異なるタイプのトナー粒子の比率に応答して、混合されるトナー粒子の混合物を補正することを含む。
【００２７】
さらに本発明の好ましい実施形態にしたがうと、トナーがこの発明にしたがって生成されるトナー粒子の混合物を含む。
【００２８】
さらに本発明の好ましい実施形態にしたがうと、印刷方法が提供され、この印刷方法は、
静電印刷装置を提供し、
本発明によるトナーを用いてその装置での画像を印刷することを含む。
【００２９】
本発明の好ましい実施形態では、この方法は、目的色に対するより良好な適合性を提供するために印刷済み画像の濃さを調整することを含む。
【００３０】
【発明の実施の形態】
本発明は、次の図面と共に以下の好ましい実施形態の説明を読めばより明瞭に理解されよう。
【００３１】
図１は、本発明の好ましい実施形態による、カスタムインクを混合するのに用いられる各種の色のインクの量を決定する方法を表している。
【００３２】
プロセスは、ユーザによる所望の目標色（１０）と所望の照明（１２）の選択から開始されるのが好ましい。
【００３３】
目標色は多数の方法の1つで提供することができる。目標色を選択する１つの方法は、色のサンプルを走査してそのスペクトルを決定することである。別の方法はカラーチャートから色を選択することである。次のように述べられる計算および決定を行うコンピュータがメモリ中にこれらのカラーチャート色のスペクトルを持つことが望ましい。第３の方法は、その色のハーフトーン印刷比率またはその色の他の色成分分析を定めることである。さらに別の方法は、その色で受けた３つの色のパラメータ（例えば、Ｌ＊ａ＊ｂ＊）の値を用いることである。
【００３４】
照明はそのような照明のカタログから特定の標準となる照明を規定することによって定められる。一般にそのような照明には、日光、蛍光灯の照明、白熱灯の照明、および周知の他の照明供給源が少なくともいくつか含まれる。コンピュータはこれらの供給源のスペクトルをメモリ内に記憶しているのが望ましい。代わりに、光源はそのスペクトルによって指定することもできる。代わりに、光源のスペクトルを決定するために光源それ自身を測定することも可能である。
【００３５】
プロセスの次のステップは、照明調整色のスペクトルの決定であることが好ましい（１４）。この色のスペクトルは残余のプロセスの基本となるものである。
【００３６】
次に照明調整色スペクトルの色座標が見出される（１６）。本発明の好ましい実施形態ではまずＬ＊ａ＊ｂ＊スペース内で色座標が決定され、それからこれらの色座標を用いてＡ＊Ｂ＊によって決定されるＬ＊Ｈ＊Ｃ＊スペース内の２つの座標Ｈ＊Ｃ＊を決定する（１８）。これらは両方とも標準的なプロセスでありまた当業界で周知のものである。本発明の他の好ましい実施形態では、他の色座標系を用いることができ、また色座標を決定するための他の方法を用いることができる。
【００３７】
本発明の好ましい実施形態の次のステップでは（２０）、混合に対する候補として利用可能な色のグループが（そのような複数の利用可能な色の中から）選択される。前記グループそれぞれは、色スペース内にある２つの近接する色からなることが好ましい。特定の支持体上に印刷され所望の照明で観察される印刷された色の混合物に対して目標色を可能な範囲まで適合させる試みがなされる。そのような計算は当業界で周知であり、実際それらは目標色を実現するためにハーフトーンで印刷される領域の比率を決定するために用いられる計算と同じものである。印刷される混合物のＬ＊ａ＊ｂ＊が、調整済み目標色のスペクトルのそれと比較されて、その差が決定される。トナー色の特定の対に対する最良な適合が候補になる混合物として選択される（２２）。
【００３８】
候補の混合物が比較されて、目標色と印刷色の間の最良適合を与える色の対がトナーの混合物を決定する際の基準として選択される（２４）。この結果、自動的に２つの近接する色を使用することになる。
【００３９】
代わりに、近接する対だけに対してではなく、可能な全ての色の対に対して候補の混合物が計算される。（例えばＬ＊ａ＊ｂ＊スペース内の）調整済み目標色と印刷の色との間の色差が計算されて、最小の差を持つ混合物が選択される。２つ以上の対が最小値を持つ場合は、これらの対における色の接近度が決定されて、最も接近した色の対が選択される。この接近度の決定には照明と支持体の色が考慮される。このような状況は、例えば２つ以上の対が正確な色の適合を与える場合に起こる。
【００４０】
照明調整済みスペクトルが用いられる場合、選択された照明条件下における印刷の色の忠実度が向上することを本発明者は発見した。このことは、２つだけの色、および黒を用いてインクを形成する場合に特に当てはまる。さらに、異なる色の粒子が異なる速さで消耗する荷電トナーおよび特に液体トナーに対しては、２つの色を用いる場合の方がより多くの色に正確に適合する場合よりも、その色は所望の色により接近することがわかった。より多くの色を用いることでより高い忠実度を実現すると、維持される色の正確な混合に対する忠実度のバランスがより敏感になることがわかった。
【００４１】
それらの色と黒の比率の決定後、所望の色飽和を与えるのに要する単位面積当たりのトナー粒子またはインク粒子の総量が決定される。一般的に相対的な飽和情報は、飽和度の関数で、必要とされるインクの濃さとしてまたは必要な表面カバーレッジのパーセンテージとしてコンピュータ内に記憶される。一般的に一定のインクの濃さで印刷するようにプリンタが設定される。所望の飽和度に対して成分に必要とされる総インク濃さが所望の総インク濃さよりも薄い場合は、透明インクの追加的な量が混合物の一部として指示される（２６）。透明インクという用語は、トナー粒子のような無色の粒子を含む無色のトナーを表すために用いられることに注意されたい。
【００４２】
必要とされる総インクの濃さがプリンタによって与えられる濃さよりも濃い場合は、印刷の濃さを変更することなくまた所望の目標色から逸脱することなく、インクまたはトナー混合物を指定することはできない。
【００４３】
ステップ２６で決定される濃さはトナー混合物の比率であると考えることができる。しかしながら本発明の好ましい実施形態によれば、追加的な要因（２８）が考慮される。この要因は、トナー粒子成分に対するトナー粒子の異なる移動度（または相対的な消耗速度）である。移動度におけるこの差は複合的な影響を引き起こす。この複合的影響の第１の部分は、異なる移動度が現像プロセス中にトナー粒子の異なる比率での沈殿を引き起こすことである。これらの異なる比率は、混合物内のより小さい移動度のトナー粒子の比率を増大させることによって考慮されなければならない。
【００４４】
さらにこれらの粒子はトナーの現像層内で不均一に分布しない。特に、より大きな移動度を持つトナー粒子は小さい移動度のトナー粒子よりも（平均して）受光器により接近する。多くの液体トナーシステムでは、現像層の外側のより濃度の薄い層が調量として知られているプロセスによって除去される。これによって、混合物に追加しなければならないより移動度の小さいトナーの量がさらに低減される。
【００４５】
混合物内のトナー比率と印刷された画像中のトナー量とのこの相違によって、目標色と実際の色との適合のかなりの低下をきたしかねない。しかしながら、調量されたトナー粒子が廃棄される限りこの問題は以下の理由によって軽減される。印刷が継続中、混合物内のより大きな移動度の粒子の比率は減少する。しかしながらこれらの粒子は受光器の近くではより濃いので、調量後の画像内でのそれらの比率はトナー内での比率よりもゆっくりと変化する。トナーを補給する際に移動度の大きいトナー粒子の比率が高い補給トナー集中を用いることによって、現像するトナー粒子の比率の相違を補正することが望ましい。
【００４６】
残りは、有色のインクまたはトナーを指定された比率で混合して印刷することである（３０）。
【００４７】
本発明は２つの色でカスタムインク混合物の色成分を決定する情況で説明したが、この方法はまた一般に２色にもより多くの色にも適応できる。
【００４８】
図２は、本発明の好ましい実施形態による色混合を決定するシステム７０の略図を表している。
【００４９】
システム７０は、計算ユニット３４を持つコンピュータ３２、有色インクまたはトナーの利用可能なセットに関するスペクトルまたは他の色情報を持つインクメモリ３６、および複数の照明供給源のスペクトルに関する情報（または他の色情報）を保持する照明メモリ３８を備えている。コンピュータ３２は、多数の色に関する色情報が記憶されている目標色メモリ４０を選択的に備える。代わりにまたは追加的にコンピュータは、照明およびインクおよび／または支持体またはトナーのスペクトルの組み合わせに対する事前計算済み色特性を記憶する１つ以上のメモリ４２、および／または照明と目標色に対する事前計算済み色特性が記憶されるメモリ４４を選択的に備えることもできる。
【００５０】
さらに本発明の好ましい実施形態ではコンピュータは、参照数字４６から５０によって表される一連のメモリを備え（とはいってもいかなる数のメモリが与えられてもよい）、それらは目標色に関する１つ以上のスペクトル（または他の色情報）、所望の照明供給源、目標色を実現するために混合される色、照明調整済み目標色、およびインクまたはインクの組み合わせの照明調整済み色に関する情報を一時的に保持する。
【００５１】
本発明の１つの好ましい実施形態では、バス５１を用いてコンピュータ内のデータとコマンドを後出の周辺装置に転送しまたはそれから転送を受ける。代わりにコンピュータ３２への入力とそれからの出力のためにインターフェイスが設置される。
【００５２】
本発明の好ましい実施形態では動作中に、所望の色がユーザインターフェイス５２を経由してコンピュータ３２に入力される。ユーザインターフェイス５２は、ユーザが利用可能な選択情報または混合情報または他の情報をユーザのために表示するディスプレイ５４を備えるのが好ましい。インターフェイス５２はさらに、以下で示すように、ユーザの選択または他のユーザ情報を入力するためのキーボード５６または他のデバイスを備えるのが望ましい。
【００５３】
本発明の好ましい実施形態ではシステム３０はさらに、例えばカラーカードまたは印刷シートまたは写真から色のサンプルを受け取って色のスペクトルを決定する色彩計５８を備えている。それからそのスペクトル情報はメモリ４６から５０の１つおよび／またはメモリ４０に転送される。
【００５４】
本発明の好ましい実施形態では、ユーザは保存されている目標色から選択するようにまたは色彩計５８を通じて特定の色を入力するように求められる。さらに所望の照明を入力するようにユーザに求めるのが好ましい。照明によって白紙のシートを照明して反射された光のスペクトルを色彩計５８を用いて決定することによって特定の照明を入力することが可能であるが、この所望の照明は一般にメモリ３８内に記憶されている特性を持つ照明の中の１つから指定される。
【００５５】
同様に、用いられる支持体の色またはタイプはユーザによって入力され、紙の反射率に関するスペクトル情報はメモリに記憶される。このスペクトル情報は色彩計５８で行われた測定に基づいて事前記憶または入力することができる。
【００５６】
一旦目標色、目標照明および支持体が選択されると、演算ユニット３４がそのカスタムインクに必要な有色インクまたはトナーのパーセンテージを計算する。この計算は、図１に関連して前述された方法またはその方法に対する変形例を用いて実行されるのが好ましい。代わりに、所定の色から色成分を計算するために用いられるどの方法も、目標および／またはインクの照明調整済み色に基づいて用いることができる。
【００５７】
本発明の好ましい実施形態では、ディスプレイは混合物内で用いられるインクの比率をリストアップする。代わりにまたは追加的に、自動ミキサ６０を用いて供給源６２から各種のトナー色またはインク色を混合デバイス６４に供給して、そこでインクまたはトナーを混合する。本発明の好ましい実施形態では、供給源６２からの供給と混合は、コンピュータ３２から混合情報を受け取るコントローラ６６によって制御される。
【００５８】
本発明の好ましい代替実施形態では、コンピュータ３２を用いて色カバレッジ情報をＲＩＰデバイスに送る。このデバイスの１つの可能な構成では、画像の色情報が画像メモリから受け取られる。画像内のピクセルの各々に対してコンピュータは、印刷される各色に対する印刷表面のカバレッジパーセントを計算する。この計算は、画像形成に用いられるピクセルの照明調整済み色とインクの照明調整済み色の少なくとも１つ（両方が望ましい）を考慮して実行される。この印刷は、所望の印刷の特性に応じて、何らかの特定のピクセルに対して利用可能な色の中のいくつかだけを用いるように制約してもよいし制約しなくてもよい。
【００５９】
本発明は多くの好ましい実施形態と変形例に関連して説明された。これらの実施形態の具体的な特徴は本発明のさらなる好ましい実施形態において組み合わせることができ、またいくつかの好ましい実施形態では対応する機能低下を伴ってまたは伴うことなくその特徴のいくつかを省略できるということを理解されたい。
【００６０】
本発明の好ましい実施形態は例示の目的だけで提示されたものであって本発明の範囲を限定するものではなく、それはクレームによって限定されるだけである。ここで用いられる「備える（ｃｏｍｐｒｉｓｅ）」または「含む（ｉｎｃｌｕｄｅ）」という用語は「含む（ｉｎｃｌｕｄｅ）けれどもかならずしもそれに限定するものではない」という意味である。
【図面の簡単な説明】
【図１】  本発明のある好ましい実施形態による、カスタムインク混合物を提供する方法の簡略化されたフローチャートである。
【図２】  本発明のある好ましい実施形態による、色混合を決定するシステムの略図である。
【図１】
0004435992.tif 000002
【図２】
0004435992.tif 000003